(57)【要約】【課題】肌への負担を軽減することができる股関節保護具を提供する。【解決手段】左半体７と右半体８を有する保護具本体９と、胴回り方向に配設されるとともに保護具本体９の左右方向中央領域に縫着した回転防止用締付ベルト10を、備える。左半体７と右半体８の一方を対応する足Ｌの大腿Ｅまでの上下長さ寸法を有する上下長寸法半体11とする。上下長寸法半体11が、大腿Ｅ回りに巻設して大腿Ｅの内転を防止する内転防止用ベルト５を有する。かつ、左半体７及び右半体８が、夫々複数本の補強用合成樹脂製ボーン６を上下方向に有する。【選択図】図１
2007319349.tif 000002
【特許請求の範囲】
【請求項１】
左半体（７）と右半体（８）を有する保護具本体（９）と、胴回り方向に配設されるとともに上記保護具本体（９）の左右方向中央領域（Ｎ）に縫着（Ｇ）した回転防止用締付ベルト（10）を、備え、上記左半体（７）と右半体（８）の一方を対応する足（Ｌ）の大腿（Ｅ）までの上下長さ寸法（Ｈ）を有する上下長寸法半体（11）とし、該上下長寸法半体（11）が、上記大腿（Ｅ）回りに巻設して該大腿（Ｅ）の内転を防止する内転防止用ベルト（５）を有し、かつ、上記左半体（７）及び右半体（８）が、夫々複数本の補強用合成樹脂製ボーン（６）を上下方向に有することを特徴とする股関節保護具。
【請求項２】
上記保護具本体（９）が、少なくとも腹部（Ｂ）の略全体に対応する範囲（Ｐ）の外面（17）全体にわたって、第１面状ファスナー（１）を有するとともに、上記回転防止用締付ベルト（10）の夫々が、左右一対の突片部（18）を有し、該突片部（18）が、上記第１面状ファスナー（１）と着脱自在な第２面状ファスナー（２）を内面（19）側に有し、上記第１面状ファスナー（１）と上記第２面状ファスナー（２）を貼着させることにより締付力を調整可能に構成し、
かつ、上記回転防止用締付ベルト（10）が、外面（20）側に第３面状ファスナー（３）を有するとともに、上記内転防止用ベルト（５）が、上記第１面状ファスナー（１）及び上記第３面状ファスナー（３）と着脱自在な第４面状ファスナー（４）を内面（21）側に有し、第４面状ファスナー（４）を、上記第１面状ファスナー（１）及び／又は第３面状ファスナー（３）と貼着させることにより上記大腿（Ｅ）に対する外転方向への牽引力（Ｆ）を調整可能に構成した請求項１記載の股関節保護具。
【請求項３】
上記左半体（７）と右半体（８）の間に、周囲長調節用マチ布部（22）を介在させ、該マチ布部（22）に回転防止用締付ベルト（10）を縫着（Ｇ）した請求項１又は２記載の股関節保護具。
【請求項４】
左半体（７）と右半体（８）を有する保護具本体（９）と、左半分と右半分に分離した左突片（26）・右突片（27）の各基端（28）（29）を上記保護具本体（９）の左右方向中央領域（Ｎ）に縫着（Ｇ）した回転防止用締付ベルト（10）を、備え、上記左半体（７）と右半体（８）の一方を対応する足（Ｌ）の大腿（Ｅ）までの上下長さ寸法（Ｈ）を有する上下長寸法半体（11）とし、該上下長寸法半体（11）が、上記大腿（Ｅ）回りに巻設して該大腿（Ｅ）の内転を防止する内転防止用ベルト（５）を有し、かつ、上記左半体（７）及び右半体（８）が、夫々複数本の補強用合成樹脂製ボーン（６）を上下方向に有し、  上記保護具本体（９）が、少なくとも腹部（Ｂ）の略全体に対応する範囲（Ｐ）の外面（17）全体にわたって、第１面状ファスナー（１）を有するとともに、上記左突片（26）・右突片（27）の夫々が、上記第１面状ファスナー（１）と着脱自在な第２面状ファスナー（２）を内面（30）（31）側に有し、上記第１面状ファスナー（１）と上記第２面状ファスナー（２）を貼着させることにより締付力（Ｓ）を調整可能に構成し、
かつ、上記回転防止用締付ベルト（10）が、外面（20）側に第３面状ファスナー（３）を有するとともに、上記内転防止用ベルト（５）が、上記第１面状ファスナー（１）及び上記第３面状ファスナー（３）と着脱自在な第４面状ファスナー（４）を内面（21）側に有し、第４面状ファスナー（４）を、上記第１面状ファスナー（１）及び／又は第３面状ファスナー（３）と貼着させることにより上記大腿（Ｅ）に対する外転方向への牽引力（Ｆ）を調整可能に構成したことを特徴とする股関節保護具。
【請求項５】
上記上下長寸法半体（11）が、前部（12）から後部（13）にかけて上記ボーン（６）を有する請求項１，２，３又は４記載の股関節保護具。
【請求項６】
上記左半体（７）が、２枚の左布体（23）と、該２枚の左布体（23）にてサンドイッチ状に内包される上記ボーン（６）を備え、かつ、上記右半体（８）が、２枚の右布体（24）と、該２枚の右布体（24）にてサンドイッチ状に内包される上記ボーン（６）を備えた請求項１，２，３，４又は５記載の股関節保護具。
【請求項７】
上記ボーン（６）が、複数本の合成樹脂線材（25）を編んだものから成る細帯状である請求項１，２，３，４，５又は６記載の股関節保護具。
【請求項８】
上記左半体（７）の前端縁（14）と、上記右半体（８）の前端縁（15）を、ファスナー（16）にて相互に着脱可能に構成した請求項１，２，３，４，５，６又は７記載の股関節保護具。
【請求項９】
上記回転防止用締付ベルト（10）を上下に２枚備えた請求項１，２，３，４，５，６，７又は８記載の股関節保護具。
【請求項１０】
上記左布体（23）、上記右布体（24）、及び、上記回転防止用締付ベルト（10）が、伸縮自在な素材から成る請求項６記載の股関節保護具。
【発明の詳細な説明】
【技術分野】
【０００１】
本発明は、股関節保護具に関する。
【背景技術】
【０００２】
従来、（例えば手術した後に）股関節の脱臼を防止する股関節保護具としては、図14に示すように、腰部Ｗを包囲して姿勢を安定させる腰保護部材40と、大腿Ｄを包囲して大腿Ｄの内転を防止しつつ動きを規制する大腿保護部材41を備えたものがある。また、右脚の大腿の内転を防止する右大腿保護部材と、左脚の大腿の内転を防止する左大腿保護部材を、連結部材にて連結したものがある（例えば、特許文献１参照）。
【０００３】
しかし、いずれも金属を有するものであり、重く、ハードな分だけ肌に負担がかかりやすいという欠点があった。また、金属部分が身体に当たり、睡眠時に負担がかかりやすかった。また、重くハードな股関節保護具を長期にわたって装着するので、精神的な負担が大きかった。また、金属部分に衣類が当たり、布を傷めることが多かった。また、重くてハードなので、自ら装着するのが困難で、他人の手を借りる必要があった。また、ハードゆえに伸縮性が全くなく、フィット感がなく、個々にオーダーしてもピッタリと合いにくいという問題があった。また、採寸してから出来上がるまでに、長い期間（例えば２週間）がかかるという問題があった。
【特許文献１】特開２００１−７０３２８号公報
【発明の開示】
【発明が解決しようとする課題】
【０００４】
解決しようとする課題は、重く、ハードな分だけ肌に負担がかかりやすい点である。また、金属部分が身体に当たり、睡眠時に負担がかかりやすい点である。また、重くハードな股関節保護具を長期にわたって装着するので、精神的な負担が大きい点である。また、金属部分に衣類が当たり、布を傷めることが多い点である。また、重くてハードなので、自ら装着するのが困難で、他人の手を借りる必要がある点である。また、ハードゆえに伸縮性が全くなく、フィット感がなく、個々にオーダーしてもピッタリと合いにくいという点である。また、採寸してから出来上がるまでに、長い期間（例えば２週間）がかかるという点である。
【課題を解決するための手段】
【０００５】
そこで、本発明に係る股関節保護具は、左半体と右半体を有する保護具本体と、胴回り方向に配設されるとともに上記保護具本体の左右方向中央領域に縫着した回転防止用締付ベルトを、備え、上記左半体と右半体の一方を対応する足の大腿までの上下長さ寸法を有する上下長寸法半体とし、該上下長寸法半体が、上記大腿回りに巻設して該大腿の内転を防止する内転防止用ベルトを有し、かつ、上記左半体及び右半体が、夫々複数本の補強用合成樹脂製ボーンを上下方向に有するものである。
【０００６】
また、上記保護具本体が、少なくとも腹部の略全体に対応する範囲の外面全体にわたって、第１面状ファスナーを有するとともに、上記回転防止用締付ベルトの夫々が、左右一対の突片部を有し、該突片部が、上記第１面状ファスナーと着脱自在な第２面状ファスナーを内面側に有し、上記第１面状ファスナーと上記第２面状ファスナーを貼着させることにより締付力を調整可能に構成し、かつ、上記回転防止用締付ベルトが、外面側に第３面状ファスナーを有するとともに、上記内転防止用ベルトが、上記第１面状ファスナー及び上記第３面状ファスナーと着脱自在な第４面状ファスナーを内面側に有し、第４面状ファスナーを、上記第１面状ファスナー及び／又は第３面状ファスナーと貼着させることにより上記大腿に対する外転方向への牽引力を調整可能に構成したものである。
また、上記左半体と右半体の間に、周囲長調節用マチ布部を介在させ、該マチ布部に回転防止用締付ベルトを縫着したものである。
【０００７】
また、左半体と右半体を有する保護具本体と、左半分と右半分に分離した左突片・右突片の各基端を上記保護具本体の左右方向中央領域に縫着した回転防止用締付ベルトを、備え、上記左半体と右半体の一方を対応する足の大腿までの上下長さ寸法を有する上下長寸法半体とし、該上下長寸法半体が、上記大腿回りに巻設して該大腿の内転を防止する内転防止用ベルトを有し、かつ、上記左半体及び右半体が、夫々複数本の補強用合成樹脂製ボーンを上下方向に有し、上記保護具本体が、少なくとも腹部の略全体に対応する範囲の外面全体にわたって、第１面状ファスナーを有するとともに、上記左突片・右突片の夫々が、上記第１面状ファスナーと着脱自在な第２面状ファスナーを内面側に有し、上記第１面状ファスナーと上記第２面状ファスナーを貼着させることにより締付力を調整可能に構成し、かつ、上記回転防止用締付ベルトが、外面側に第３面状ファスナーを有するとともに、上記内転防止用ベルトが、上記第１面状ファスナー及び上記第３面状ファスナーと着脱自在な第４面状ファスナーを内面側に有し、第４面状ファスナーを、上記第１面状ファスナー及び／又は第３面状ファスナーと貼着させることにより上記大腿に対する外転方向への牽引力を調整可能に構成したものである。
【０００８】
また、上記上下長寸法半体が、前部から後部にかけて上記ボーンを有するものである。  また、上記左半体が、２枚の左布体と、該２枚の左布体にてサンドイッチ状に内包される上記ボーンを備え、かつ、上記右半体が、２枚の右布体と、該２枚の右布体にてサンドイッチ状に内包される上記ボーンを備えたものである。
また、上記ボーンが、複数本の合成樹脂線材を編んだものから成る細帯状である。
また、上記左半体の前端縁と、上記右半体の前端縁を、ファスナーにて相互に着脱可能に構成したものである。
また、上記回転防止用締付ベルトを上下に２枚備えたものである。
また、上記左布体、上記右布体、及び、上記回転防止用締付ベルトが、伸縮自在な素材から成るものである。
【発明の効果】
【０００９】
本発明の股関節保護具によれば、肌への負担を軽減することができる。睡眠時の負担を軽減することができる。また、精神的な負担を軽減することができる。また、布を傷めることを防止することができる。また、自ら容易に装着することができる。また、フィット感があり、個々にオーダーしなくてもピッタリと合う。また、必要な時にすぐに入手することができる。
【発明を実施するための最良の形態】
【００１０】
図１・図２は、本発明の第１の実施の形態の使用状態（具体的には、マネキン人形Ｍに着用させた状態）を示す。この股関節保護具は、股関節Ｋの脱臼を防止するために、身体の動きを規制する機能を有する。特に、脱臼を防止しようとする足Ｌの大腿Ｅ（図例では左足）に、内転防止用ベルト５を巻設して、大腿Ｅの内転（図１の矢印Ａ方向に回転すること）を防止する。すなわち、足Ｌが内転しようとすると、内転防止用ベルト５によって、外転方向へ牽引力Ｆがはたらく。また、上下方向に複数本の合成樹脂製ボーン６（詳細は後述する。）を有しており、その弾性復元力により、前にかがんだり、足Ｌを曲げるなどの股関節Ｋを曲げる動作をしにくいように、身体の動きを規制することができる。ボーン６は、例えば、ナイロンから成る。
【００１１】
具体的には、図３・図４に示すように、左半体７と右半体８を有する保護具本体９と、胴回り方向に配設されるとともに保護具本体９の左右方向中央領域Ｎに縫着Ｇした回転防止用締付ベルト10を、備える。回転防止用締付ベルト10を上下に２枚備えている。回転防止用締付ベルト10は、伸縮自在かつ通気性良好な素材（例えば、パンチング加工された布体等）から成る。左半体７が、対応する足Ｌ（左足）の大腿Ｅ（図１・図２参照）までの上下長さ寸法Ｈを有する上下長寸法半体11とされている。上下長寸法半体11が、大腿Ｅ回りに巻設して大腿Ｅの内転を防止する内転防止用ベルト５を有する。左半体７及び右半体８が、夫々複数本の補強用合成樹脂製ボーン６（詳細は後述する。）を上下方向に有する。
【００１２】
具体的には、上下長寸法半体11（左半体７）が15本以上25本以下のボーン６を有し、かつ、左半体７・右半体８のうち上下長寸法半体11でないもの───上下短寸法半体33───（右半体８）が５本以上15本以下のボーン６を有する。上下長寸法半体11が有するボーン６の本数及び上下短寸法半体33が有するボーン６の本数が、上記範囲にある場合、股関節の動きを適切に規制することができる。上下長寸法半体11が有するボーン６の本数が、15本未満の場合、身体の動きを適切に規制することができない虞れがある。上下長寸法半体11が有するボーン６の本数が、25本を超える場合、製造に過剰な手間がかかるとともに、余分なボーン６を有する虞れがある。上下短寸法半体33が有するボーン６の本数が、５本未満の場合、身体の動きを適切に規制することができない虞れがある。上下短寸法半体33が有するボーン６の本数が、15本を超える場合、製造に過剰な手間がかかるとともに、余分なボーン６を有する虞れがある。上下長寸法半体11が、前部12から後部13にかけてボーン６を有する。左半体７の前端縁14と、右半体８の前端縁15が、ファスナー16にて相互に着脱可能に構成されている。
【００１３】
図５〜図９に示すように、保護具本体９が、少なくとも腹部Ｂの略全体に対応する範囲Ｐの外面17全体にわたって、第１面状ファスナー１を有する。回転防止用締付ベルト10の夫々が、左右一対の突片部18，18を有する。突片部18が、第１面状ファスナー１と着脱自在な第２面状ファスナー２を内面19側に有する。第１面状ファスナー１と第２面状ファスナー２を貼着させることにより締付力Ｓを調整可能に構成されている。
回転防止用締付ベルト10が、外面20側に第３面状ファスナー３を有する。内転防止用ベルト５が、第３面状ファスナー３と着脱自在な第４面状ファスナー４を内面21側に有する。第４面状ファスナー４を、第３面状ファスナー３と貼着させることにより大腿Ｅに対する外転方向への牽引力Ｆを調整可能に構成されている。32は内転防止用ベルト５の長手方向途中部に設けられて内転防止用ベルト５の固定位置を安定させるための補助面ファスナーを示す。
【００１４】
図９に示すように、左半体７と右半体８の間に、周囲長調節用マチ布部22が介在している。マチ布部22は、好ましくは伸縮自在かつ通気性良好な素材（例えばパワーネット等）から成る。マチ布部22に回転防止用締付ベルト10が縫着Ｇされている。左半体７が、２枚の左布体23と、２枚の左布体23にてサンドイッチ状に内包されるボーン６を備えている。右半体８が、２枚の右布体24と、２枚の右布体24にてサンドイッチ状に内包されるボーン６を備えている。左布体23及び右布体24は、伸縮自在かつ通気性良好な素材（例えば、パンチング加工された布体等）から成る。なお、図９は、簡略図であって、ボーン６の本数は、少なく描いているが、実際は、ボーン６の本数は、上述の範囲にあるものとする。
【００１５】
図10・図11に示すように、ボーン６が、複数本の合成樹脂線材25を三ツ編み状に編んだものから成る細帯状である。具体的には、ボーン６が、６本の合成樹脂線材25を２本一組の三ツ編み状に編んだものから成る細帯状である。
【００１６】
図12・図13は、第２の実施の形態を示す。左半分と右半分に分離した左突片26・右突片27の各基端28，29を保護具本体９の左右方向中央領域Ｎに縫着Ｇした回転防止用締付ベルト10を、備える。そして、左突片26・右突片27の夫々が、上記第１面状ファスナー１と着脱自在な第２面状ファスナー２を内面30，31側に有する。その他の構成は、第１の実施の形態と同様である。
【００１７】
なお、図１〜図４に於ては、各面状ファスナーの多数の雄部材や雌部材を図示省略した。また、図５・図６・図８及び図12に於て、各面状ファスナーを簡略化して部分的に描いてあるが、各面状ファスナーを簡略化して描いてある面に、全面的に面状ファスナーを有している。
【００１８】
本発明は、設計変更可能であって、例えば、右半体８を、対応する足Ｌ（右足）の大腿Ｅまでの上下長さ寸法Ｈを有する上下長寸法半体11とするも良い。また、左半体７及び右半体８を、上下長寸法半体11とするも良い。つまり、右足用、左足用、両足用のいずれとするも良い。また内転防止用ベルト５が、第１面状ファスナー１と着脱自在な第４面状ファスナーを内面21側に有し、第４面状ファスナー４を、第１面状ファスナー１と貼着させることにより大腿Ｅに対する外転方向への牽引力Ｆを調整可能に構成するも良い。また、第４面状ファスナー４を、第１面状ファスナー１及び第３面状ファスナー３と貼着させることにより大腿Ｅに対する外転方向への牽引力を調整可能に構成するも良い。また、合成樹脂製ボーン６の編み方は、上述のものに限られない。例えば、４本の合成樹脂線材25をねじり状としたものから成る細帯状とするも良い。また、１本のボーン６を構成する合成樹脂線材25の本数は、増減自在である。また、左半体７及び右半体８が埋込状に合成樹脂製ボーン６を内有するも良い。
【００１９】
以上のように、本発明は、左半体７と右半体８を有する保護具本体９と、胴回り方向に配設されるとともに保護具本体９の左右方向中央領域Ｎに縫着Ｇした回転防止用締付ベルト10を、備え、左半体７と右半体８の一方を対応する足Ｌの大腿Ｅまでの上下長さ寸法Ｈを有する上下長寸法半体11とし、上下長寸法半体11が、大腿Ｅ回りに巻設して大腿Ｅの内転を防止する内転防止用ベルト５を有し、かつ、左半体７及び右半体８が、夫々複数本の補強用合成樹脂製ボーン６を上下方向に有するので、軽くてソフトであり、肌への当たりが柔らかく、肌への負担を軽減することができる。睡眠時の負担を軽減することができる。従来の股関節保護具と比較して軽く、装着時の精神的な負担を軽減することができる。また、布を傷めることを防止することができる。また、自ら容易に装着することができる。また、フィット感があり、個々にオーダーしなくてもピッタリと合う。また、必要な時にすぐに入手することができる。また、洗濯して清潔に使用することができる。
【００２０】
さらに、身体の動きを規制して股関節Ｋの脱臼を防止することができる。特に、脱臼を防止しようとする足Ｌの大腿Ｅに、内転防止用ベルト５を巻設して、大腿Ｅの内転を防止することができる。すなわち、足Ｌが内転しようとすると、内転防止用ベルト５によって、外転方向へ牽引力Ｆがはたらく。特に、回転防止用締付ベルト10にて保護具本体９が腰回りに回転するのを防止しつつ、内転防止用ベルト５にて足Ｌが内転するのを防止する。そして、内転防止用ベルト５の内転防止効果を最大限に発揮させることができる。言い換えると、回転防止用締付ベルト10によって骨盤状態を安定させつつ、内転防止用ベルト５にて足Ｌの内転を防止することができる。また、上下方向に複数本の合成樹脂製ボーン６の弾性復元力により、前にかがんだり、足Ｌを曲げるなどの股関節Ｋを曲げる動作をしにくいように、身体の動きを規制することができる。
【００２１】
また、保護具本体９が、少なくとも腹部Ｂの略全体に対応する範囲Ｐの外面17全体にわたって、第１面状ファスナー１を有するとともに、回転防止用締付ベルト10の夫々が、左右一対の突片部18を有し、突片部18が、第１面状ファスナー１と着脱自在な第２面状ファスナー２を内面19側に有し、第１面状ファスナー１と第２面状ファスナー２を貼着させることにより締付力を調整可能に構成し、かつ、回転防止用締付ベルト10が、外面20側に第３面状ファスナー３を有するとともに、内転防止用ベルト５が、第１面状ファスナー１及び第３面状ファスナー３と着脱自在な第４面状ファスナー４を内面21側に有し、第４面状ファスナー４を、第１面状ファスナー１及び／又は第３面状ファスナー３と貼着させることにより大腿Ｅに対する外転方向への牽引力Ｆを調整可能に構成したので、面状ファスナーの着脱により、容易に装着・脱着することができる。
【００２２】
また、左半体７と右半体８の間に、周囲長調節用マチ布部22を介在させ、マチ布部22に回転防止用締付ベルト10を縫着Ｇしたので、周囲長が短くなるように回転防止用締付ベルト10を固定する際、マチ布部22が保護具本体９のたわみを吸収する。特に、腰回りが太い人から細い人まで、幅広い人が着用することができる。
【００２３】
また、左半体７と右半体８を有する保護具本体９と、左半分と右半分に分離した左突片26・右突片27の各基端28・29を保護具本体９の左右方向中央領域Ｎに縫着Ｇした回転防止用締付ベルト10を、備え、左半体７と右半体８の一方を対応する足Ｌの大腿Ｅまでの上下長さ寸法Ｈを有する上下長寸法半体11とし、上下長寸法半体11が、大腿Ｅ回りに巻設して大腿Ｅの内転を防止する内転防止用ベルト５を有し、かつ、左半体７及び右半体８が、夫々複数本の補強用合成樹脂製ボーン６を上下方向に有し、保護具本体９が、少なくとも腹部Ｂの略全体に対応する範囲Ｐの外面17全体にわたって、第１面状ファスナー１を有するとともに、左突片26・右突片27の夫々が、第１面状ファスナー１と着脱自在な第２面状ファスナー２を内面30・31側に有し、第１面状ファスナー１と第２面状ファスナー２を貼着させることにより締付力Ｓを調整可能に構成し、かつ、回転防止用締付ベルト10が、外面20側に第３面状ファスナー３を有するとともに、内転防止用ベルト５が、第１面状ファスナー１及び第３面状ファスナー３と着脱自在な第４面状ファスナー４を内面21側に有し、第４面状ファスナー４を、第１面状ファスナー１及び／又は第３面状ファスナー３と貼着させることにより大腿Ｅに対する外転方向への牽引力Ｆを調整可能に構成したので、軽くてソフトであり、肌への当たりが柔らかく、肌への負担を軽減することができる。
【００２４】
睡眠時の負担を軽減することができる。従来の股関節保護具と比較して軽く、装着時の精神的な負担を軽減することができる。また、布を傷めることを防止することができる。また、自ら容易に装着することができる。また、フィット感があり、個々にオーダーしなくてもピッタリと合う。また、必要な時にすぐに入手することができる。また、洗濯して清潔に使用することができる。
【００２５】
さらに、身体の動きを規制して股関節Ｋの脱臼を防止することができる。特に、脱臼を防止しようとする足Ｌの大腿Ｅに、内転防止用ベルト５を巻設して、大腿Ｅの内転を防止することができる。すなわち、足Ｌが内転しようとすると、内転防止用ベルト５によって、外転方向へ牽引力Ｆがはたらく。特に、回転防止用締付ベルト10にて保護具本体９が腰回りに回転するのを防止しつつ、内転防止用ベルト５にて足Ｌが内転するのを防止する。そして、内転防止用ベルト５の内転防止効果を最大限に発揮させることができる。言い換えると、回転防止用締付ベルト10によって骨盤状態を安定させつつ、内転防止用ベルト５にて足Ｌの内転を防止することができる。また、上下方向に複数本の合成樹脂製ボーン６の弾性復元力により、前にかがんだり、足Ｌを曲げるなどの股関節Ｋを曲げる動作をしにくいように、身体の動きを規制することができる。
また、面状ファスナーの着脱により、容易に装着・脱着することができる。
【００２６】
また、上下長寸法半体11が、前部12から後部13にかけてボーン６を有するので、適切かつ確実に股関節を保護することができる。
【００２７】
また、左半体７が、２枚の左布体23と、２枚の左布体23にてサンドイッチ状に内包されるボーン６を備え、かつ、右半体８が、２枚の右布体24と、２枚の右布体24にてサンドイッチ状に内包されるボーン６を備えたので、容易に製造することができる。また、着用感及び外観が良い。
【００２８】
また、ボーン６が、複数本の合成樹脂線材25を編んだものから成る細帯状であるので、身体の形状にフィットしやすく、かつ、動きの規制を若干緩和することができ、着用感が良い。
【００２９】
また、左半体７の前端縁14と、右半体８の前端縁15を、ファスナー16にて相互に着脱可能に構成したので、この股関節保護具の着脱を容易かつスムーズに行なうことができる。特に、股関節を伸ばしたままの状態で、股関節保護具を着脱することができる。そして、保護具本体を装着したままで、排泄をすることができる。
【００３０】
また、回転防止用締付ベルト10を上下に２枚備えたので、上の回転防止用締付ベルト10で腰を安定させつつ保護し、かつ、下の回転防止用締付ベルト10で骨盤・股関節Ｋを安定させつつ保護することができる。
【００３１】
また、左布体23、右布体24、及び、回転防止用締付ベルト10が、伸縮自在な素材から成るので、身体にフィットさせることができる。すなわち、着用感が良い。
【図面の簡単な説明】
【００３２】
【図１】本発明の第１の実施の形態の使用状態を示す正面図である。
【図２】背面図である。
【図３】内面側を示す正面図である。
【図４】外面側を示す背面図である。
【図５】正面図である。
【図６】背面図である。
【図７】内面側を示す正面図である。
【図８】外面側を示す背面図である。
【図９】図８のＺ−Ｚ断面図である。
【図１０】図７のＹ−Ｙ断面図である。
【図１１】ボーンを示す正面図である。
【図１２】第２の実施の形態を示す背面図である。
【図１３】図12のＸ−Ｘ断面図である。
【図１４】従来例の使用状態を示す正面図である。
【符号の説明】
【００３３】
１  第１面状ファスナー
２  第２面状ファスナー
３  第３面状ファスナー
４  第４面状ファスナー
５  内転防止用ベルト
６  （合成樹脂製）ボーン
７  左半体
８  右半体
９  保護具本体
10  回転防止用締付ベルト
11  上下長寸法半体
12  前部
13  後部
14  前端縁
15  前端縁
16  ファスナー
17  外面
18  突片部
19  内面
20  外面
21  内面
22  マチ布部
23  左布体
24  右布体
25  合成樹脂線材
26  左突片
27  右突片
28  基端
29  基端
30  内面
31  内面
Ｂ  腹部
Ｅ  大腿
Ｆ  牽引力
Ｇ  縫着
Ｈ  上下長さ寸法
Ｌ  足
Ｎ  左右方向中央領域
Ｐ  範囲
Ｓ  締付力
【図１】
2007319349.tif 000003
【図２】
2007319349.tif 000004
【図３】
2007319349.tif 000005
【図４】
2007319349.tif 000006
【図５】
2007319349.tif 000007
【図６】
2007319349.tif 000008
【図７】
2007319349.tif 000009
【図８】
2007319349.tif 000010
【図９】
2007319349.tif 000011
【図１０】
2007319349.tif 000012
【図１１】
2007319349.tif 000013
【図１２】
2007319349.tif 000014
【図１３】
2007319349.tif 000015
【図１４】
2007319349.tif 000016